(57)【要約】  本発明は、空間分層伝送方法及び装置を開示する。前記方法は、伝送すべきデータを少なくとも二層の空間データに分けることと、各層空間データのシンボルレートを確定し、各層空間データのミスシンボルレート間の誤差が予め定められた誤差閾値以内にあるようにすることと、確定されたシンボルレートに従って各層空間データに対してエンコーディングを行ってから送信することと、を含む。【選択図】  図１
2018504018.tif 000002
【特許請求の範囲】
【請求項１】
伝送すべきデータを少なくとも二層の空間データに分けることと、
各層空間データのシンボルレートを確定し、各層空間データのミスシンボルレート間の誤差が予め定められた誤差閾値以内にあるようにすることと、
確定されたシンボルレートに従って各層空間データに対してエンコーディングを行ってから送信することと、
を含むことを特徴とする空間分層伝送方法。
【請求項２】
各層空間データのシンボルレートはそれぞれ異なることを特徴とする請求項１に記載の方法。
【請求項３】
各層空間データのシンボルレートを確定することは、
等価エラー率の準則に従って各層空間データのシンボルレートを確定することを含むことを特徴とする請求項１又は２に記載の方法。
【請求項４】
等価エラー率の準則に従って各層空間データのシンボルレートを確定することは、
予め定められたシンボルレートの制約を満たす条件下で、エミュレーションの方式により各層空間データのシンボルレートを確定することを含むことを特徴とする請求項３に記載の方法。
【請求項５】
各層空間データをそれぞれ受信し、各層空間データのシンボルレートは、送信端の各層空間データのミスシンボルレート間の誤差が予め定められた誤差閾値以内にあることを確保するために設定されたものであることと、
各層空間データに対してそれぞれデコーディングを行うことと、
デコーディング後の各層空間データに従って送信端が伝送するデータを取得することと、
を含むことを特徴とする空間分層伝送方法。
【請求項６】
各層空間データのシンボルレートはそれぞれ異なることを特徴とする請求項５に記載の方法。
【請求項７】
各層空間データのシンボルレートは、等価エラー率の準則に従って確定されることを特徴とする請求項５又は６に記載の方法。
【請求項８】
各層空間データのシンボルレートは、予め定められたシンボルレートの制約を満たす条件下で、エミュレーションの方式により確定されることを特徴とする請求項７に記載の方法。
【請求項９】
伝送すべきデータを少なくとも二層の空間データに分けるための空間分層モジュールと、
各層空間データのシンボルレートを確定し、各層空間データのミスシンボルレート間の誤差が予め定められた誤差閾値以内にあるようにするためのシンボルレート確定モジュールと、
確定されたシンボルレートに従って各層空間データに対してエンコーディングを行ってから送信するためのデータ送信モジュールと、
を含むことを特徴とする空間分層伝送装置。
【請求項１０】
各層空間データのシンボルレートはそれぞれ異なることを特徴とする請求項９に記載の装置。
【請求項１１】
前記シンボルレート確定モジュールは、
等価エラー率の準則に従って各層空間データのシンボルレートを確定することに用いられることを特徴とする請求項９又は１０に記載の装置。
【請求項１２】
前記シンボルレート確定モジュールは、
予め定められたシンボルレートの制約を満たす条件下で、エミュレーションの方式により各層空間データのシンボルレートを確定することに用いられることを特徴とする請求項１１に記載の装置。
【請求項１３】
各層空間データをそれぞれ受信することに用いられ、各層空間データのシンボルレートは、送信端の各層空間データのミスシンボルレート間の誤差が予め定められた誤差閾値以内にあることを確保するために設定されたものであるデータ受信モジュールと、
各層空間データに対してそれぞれデコーディングを行うためのデコーディングモジュールと、
デコーディング後の各層空間データに従って送信端が伝送するデータを取得するためのデータ取得モジュールと、
を含むことを特徴とする空間分層伝送装置。
【請求項１４】
各層空間データのシンボルレートはそれぞれ異なることを特徴とする請求項１３に記載の装置。
【請求項１５】
各層空間データのシンボルレートは、等価エラー率の準則に従って確定されることを特徴とする請求項１３又は１４に記載の装置。
【請求項１６】
各層空間データのシンボルレートは、予め定められたシンボルレートの制約を満たす条件下で、エミュレーションの方式により確定されることを特徴とする請求項１５に記載の装置。
【発明の詳細な説明】
【技術分野】
【０００１】
本出願は、２０１４年１２月２９日に中国特許庁に提出された中国特許出願２０１４１０８４８８６８．７（発明の名称：「空間分層伝送方法及び装置」）の優先権を主張し、その全ての内容が援用により本出願に取り込まれる。
【０００２】
本出願は、通信技術分野に関し、特に空間分層伝送方法及び装置に関する。
【背景技術】
【０００３】
従来のマルチ入力、マルチ出力（マイモ、ＭＩＭＯ）システムにおいて、ＢＩＣＭ（Ｂｉｔ  ｉｎｔｅｒｌｅａｖｅｄ  Ｃｏｄｅｄ  Ｍｏｄｕｌａｔｉｏｎ）構造基盤の準直交時空間ブロック符号（ＱＯ−ＳＴＢＣ）送信方法を適応できる。ＱＯ−ＳＴＢＣでは、ダイバーシティと多重用のトレードオフを得ることができ、且つ特別設計されたＱＯ−ＳＴＢＣコードは、空間分層モードの伝送を実現できる。このような空間分層モードは、干渉除去（Ｓｕｃｃｅｓｓｉｖｅ  Ｉｎｔｅｒｆｅｒｅｎｃｅ  Ｃａｎｃｅｌｌａｔｉｏｎ、ＳＩＣ）基盤の受信機アルゴリズムに適し、且つ低複雑度の線形検出（例えば、ゼロフォーシング（Ｚｅｒｏ  Ｆｏｒｃｉｎｇ、ＺＦ）アルゴリズムや最小平均２乗誤差（Ｍｉｎｉｍｕｍ  Ｍｅａｎ  Ｓｑｕａｒｅ  Ｅｒｒｏｒ、ＭＭＳＥ）アルゴリズム）でも優れた性能を有する。空間分層モードは、データ流を複数の空間データレイヤーに分層し、各層内のデータは、同じ検出後ダイバーシティ次数を有し、且つ各層データの検出後ダイバーシティ次数も等しくなりがちであり、よって優れた全体的性能を得る。
【０００４】
ＱＯ−ＳＴＢＣ送信方法の各層データのダイバーシティ次数に対する粗調整は、優れた全体的性能を取得したが、干渉除去が理想的でない等の問題の影響で、各層データ流の検出後のミスシンボルレートに一定の差の存在による性能ロスを招く問題点がある。
【発明の概要】
【課題を解決するための手段】
【０００５】
本発明の目的は、空間分層伝送方法及び装置を提供し、ＱＯ−ＳＴＢＣ送信方法の適用による各層データ流の検出後のミスシンボルレート間に差の存在による性能ロスを招く問題点を解決しようとする。
【０００６】
本発明の目的は、下記の技術方法によって実現される。
【０００７】
空間分層伝送方法において、
伝送すべきデータを少なくとも二層の空間データに分けることと、
各層空間データのシンボルレートを確定し、各層空間データのミスシンボルレート間の誤差が予め定められた誤差閾値以内にあるようにすることと、
確定されたシンボルレートに従って各層空間データに対してエンコーディングを行ってから送信することと、
を含む空間分層伝送方法。
【０００８】
各層空間データのシンボルレートはそれぞれ異なることが好ましい。従って、異なる空間データ流に対して異なる誤り保護を提供する。
【０００９】
上記いずれの方法、実施例に基づき、各層空間データのシンボルレートを確定することは、
等価エラー率の準則に従って各層空間データのシンボルレートを確定することを含むことが好ましい。
【００１０】
等価エラー率の準則に従って各層空間データのシンボルレートを確定することは、
予め定められたシンボルレートの制約を満たす条件下で、エミュレーションの方式により各層空間データのシンボルレートを確定することを含むことが好ましい。
【００１１】
空間分層伝送方法において、
各層空間データをそれぞれ受信し、各層空間データのシンボルレートは、送信端の各層空間データのミスシンボルレート間の誤差が予め定められた誤差閾値以内にあることを確保するために設定されたものであることと、
各層空間データに対してそれぞれデコーディングを行うことと、
デコーディング後の各層空間データに従って送信端が伝送するデータを取得することと、
を含む空間分層伝送方法。
【００１２】
各層空間データのシンボルレートはそれぞれ異なることが好ましい。従って、異なる空間データ流に対して異なる誤り保護を提供する。
【００１３】
上記いずれの方法、実施例に基づき、各層空間データのシンボルレートは、等価エラー率の準則に従って確定されることが好ましい。
【００１４】
各層空間データのシンボルレートは、予め定められたシンボルレートの制約を満たす条件下で、エミュレーションの方式により確定されることが好ましい。
【００１５】
方法と同一の発明思想に基づき、本発明の実施例は、空間分層伝送装置を更に提供する。
【００１６】
前記装置は、
伝送すべきデータを少なくとも二層の空間データに分けるための空間分層モジュールと、
各層空間データのシンボルレートを確定し、各層空間データのミスシンボルレート間の誤差が予め定められた誤差閾値以内にあるようにするためのシンボルレート確定モジュールと、
確定されたシンボルレートに従って各層空間データに対してエンコーディングを行ってから送信するためのデータ送信モジュールと、
を含む。
【００１７】
各層空間データのシンボルレートはそれぞれ異なることが好ましい。従って、異なる空間データ流に対して異なる誤り保護を提供する。
【００１８】
上記いずれの装置実施例に基づき、前記シンボルレート確定モジュールは、
等価エラー率の準則に従って各層空間データのシンボルレートを確定することに用いられることが好ましい。
【００１９】
前記シンボルレート確定モジュールは、
予め定められたシンボルレートの制約を満たす条件下で、エミュレーションの方式により各層空間データのシンボルレートを確定することに用いられることが好ましい。
【００２０】
方法と同一の発明思想に基づき、本発明の実施例は、基地局を更に提供する。
【００２１】
前記基地局は、
メモリ内のプログラムを判読し、伝送すべきデータを少なくとも二層の空間データに分ける過程と、各層空間データのシンボルレートを確定し、各層空間データのミスシンボルレート間の誤差が予め定められた誤差閾値以内にあるようにする過程と、確定されたシンボルレートに従って各層空間データに対してエンコーディングを行ってからトランシーバーを通じて送信する過程と、を実行するためのプロセッサーと、
プロセッサーの制御の下でデータを受信及び送信するためのトランシーバーと、
プロセッサーが操作を実行する時に使用されるデータを格納するためのメモリと、
を含む。
【００２２】
各層空間データのシンボルレートはそれぞれ異なることが好ましい。従って、異なる空間データ流に対して異なる誤り保護を提供する。
【００２３】
上記いずれの基地局の実施例に基づいて、プロセッサーは、等価エラー率の準則に従って各層空間データのシンボルレートを確定することが好ましい。
【００２４】
予め定められたシンボルレートの制約を満たす条件下で、プロセッサーは、エミュレーションの方式により各層空間データのシンボルレートを確定することが好ましい。
【００２５】
方法と同一の発明思想に基づき、本発明の実施例は、空間分層伝送装置を更に提供する。
【００２６】
前記装置は、
各層空間データをそれぞれ受信することに用いられ、各層空間データのシンボルレートは、送信端の各層空間データのミスシンボルレート間の誤差が予め定められた誤差閾値以内にあることを確保するために設定されたものであるデータ受信モジュールと、
各層空間データに対してそれぞれデコーディングを行うためのデコーディングモジュールと、
デコーディング後の各層空間データに従って送信端が伝送するデータを取得するためのデータ取得モジュールと、
を含む。
【００２７】
各層空間データのシンボルレートはそれぞれ異なることが好ましい。従って、異なる空間データ流に対して異なる誤り保護を提供する。
【００２８】
上記いずれの装置実施例に基づき、各層空間データのシンボルレートは、等価エラー率の準則に従って確定されることが好ましい。
【００２９】
各層空間データのシンボルレートは、予め定められたシンボルレートの制約を満たす条件下で、エミュレーションの方式により確定されることが好ましい。
【００３０】
方法と同一の発明思想に基づき、本発明の実施例はユーザ機器を更に提供する。
【００３１】
前記ユーザ機器は、
メモリ内のプログラムを判読し、それぞれトランシーバーを通じて各層空間データを受信し、各層空間データのシンボルレートは、送信端の各層空間データのミスシンボルレート間の誤差が予め定められた誤差閾値以内にあることを確保するために設定されたものである過程と、各層空間データに対してそれぞれデコーディングを行う過程と、デコーディング後の各層空間データに従って送信端が伝送するデータを取得する過程と、を実行するためのプロセッサーと、
プロセッサーの制御の下でデータを受信及び送信するためのトランシーバーと、
プロセッサーが操作を実行する時に使用されるデータを格納するためのメモリと、
を含む。
【００３２】
各層空間データのシンボルレートはそれぞれ異なることが好ましい。従って、異なる空間データ流に対して異なる誤り保護を提供する。
【００３３】
上記いずれの装置実施例に基づき、各層空間データのシンボルレートは、等価エラー率の準則に従って確定されることが好ましい。
【００３４】
各層空間データのシンボルレートは、予め定められたシンボルレートの制約を満たす条件下で、エミュレーションの方式により確定されることが好ましい。
【００３５】
本発明の実施例が提供する方法及び装置は、各層空間データのためにシンボルレートを確定することにより各層空間データ検出後のミスシンボルレートが予め定められた誤差閾値以内にあるようにし、異なる層の空間データに対して異なる保護能力のある誤り訂正コーディング方法を適用し、なお各層空間データのミスシンボルレートのバランスを取り、各層空間データの伝送性能が一致しがちであるようにすることによってシステム性能を改善させる。
【図面の簡単な説明】
【００３６】
【図１】本発明の実施例が提供する送信端が空間分層伝送を行う方法のフローチャートである。
【図２】本発明の実施例が提供する受信端が空間分層伝送を行う方法のフローチャートである。
【図３】本発明の実施例が提供する送信端が空間分層伝送を行うもう一つの方法のフローチャートである。
【図４】本発明の実施例が提供する受信端が空間分層伝送を行うもう一つの方法のフローチャートである。
【図５】スリーアンテナシステムでのビット誤り率の性能曲線図である。
【図６】フォーアンテナシステムでのビット誤り率の性能曲線図である。
【図７】本発明の実施例が提供する空間分層伝送装置の模式図である。
【図８】本発明の実施例が提供する基地局構造の模式図である。
【図９】本発明の実施例が提供するもう一つの空間分層伝送装置の模式図である。
【図１０】本発明の実施例が提供するユーザ機器の構造の模式図である。
【発明を実施するための形態】
【００３７】
以下、図面とともに、本発明の実施例が提供する技術方法について詳細に記載する。
【００３８】
本発明の実施例が提供する空間分層伝送方法の送信端における実現方法は、図１に示すように、具体的に下記のステップを含む。
【００３９】
ステップ１００において、伝送すべきデータを少なくとも二層の空間データに分ける。
【００４０】
ステップ１１０において、各層空間データのシンボルレートを確定し、各層空間データのミスシンボルレート間の誤差が予め定められた誤差閾値以内にあるようにする。
【００４１】
本発明の実施例において、空間データのミスシンボルレートは、空間データ検出後のミスシンボルレートを指す。
【００４２】
ステップ１２０において、確定されたシンボルレートに従って各層空間データに対してエンコーディングを行ってから送信する。
【００４３】
本発明の実施例が提供する方法によれば、各層空間データのために確定したシンボルレートは、各層空間データ検出後のミスシンボルレートが予め定められた誤差閾値以内にあるようにし、異なる層の空間データに対して異なる保護能力のある誤り訂正コーディング方法を適用し、なお各層空間データのミスシンボルレートのバランスを取り、各層空間データの伝送性能が一致しがちであるようにすることによってシステム性能を改善させる。
【００４４】
本発明の実施例において、各層空間データのシンボルレートはそれぞれ異なることが好ましい。従って、異なる空間データ流に対して異なる誤り保護を提供する。
【００４５】
本発明の実施例において、各層空間データのシンボルレートを確定する実現方法は様々あり、各層空間データ検出後のミスシンボルレートが予め定められた誤差閾値以内にあるようにすれば足りる。等価エラー率の準則に従って各層空間データのシンボルレートを確定することが好ましい。
【００４６】
等価エラー率の準則は、検出後のミスシンボルレートができるだけ等しくなるようにする原則である。当該準則に基づいて各層空間データのシンボルレートを確定する時、具体的には、予め定められたシンボルレートの制約を満たす条件下で、エミュレーションの方式により各層空間データのシンボルレートを確定することができる。
【００４７】
本発明の実施例が提供する空間分層伝送方法の受信端側での実現方法は、図２に示すように、具体的には、下記のステップを含む。
【００４８】
ステップ２００において、それぞれ各層空間データを受信し、各層空間データのシンボルレートは、送信端の各層空間データのミスシンボルレート間の誤差が予め定められた誤差閾値以内にあることを確保するために確定されたものである。
【００４９】
ステップ２１０において、各層空間データに対してそれぞれデコーディングを行う。
【００５０】
ステップ２２０において、デコーディング後の各層空間データに従って送信端が伝送するデータを取得する。
【００５１】
本発明の実施例において、各層空間データのシンボルレートは、各層空間データのミスシンボルレート間の誤差が予め定められた誤差閾値以内にあることを確保するために確定されたものであるため、各層空間デコーディング後の誤差率は、予め定められた誤差閾値以内にあり、従って、システム性能が改善される。
【００５２】
各層空間データのシンボルレートはそれぞれ異なることが好ましい。
【００５３】
各層空間データのシンボルレートは、等価エラー率の準則に従って確定されることが好ましい。
【００５４】
各層空間データのシンボルレートは、予め定められたシンボルレートの制約を満たす条件下で、エミュレーションの方式により確定されることが好ましい。
【００５５】
本発明の実施例が提供する技術方法は、逐次干渉除去受信機に対して用いられるものである。
【００５６】
ＭＩＭＯシステムにおいて本発明の実施例が提供する技術方法を適用した場合を例として、送信端が伝送を行なう時のフローは図３に示す通りであり、受信端が伝送を行なう時のフローは図４に示す通りである。
【００５７】
なお、Ｌはターボ（ｔｕｒｂｏ）エンコーダの個数、Ｋｉは情報源の個数、ｎｉはターボ（ｔｕｒｂｏ）コードのコードの長さであり、１≦ｉ≦Ｌである。
【００５８】
なお、シンボルレートＲ１＞Ｒ２＞、…、＞ＲＬである。
【００５９】
スリーアンテナ及びフォーアンテナを例とする場合、それに相応する伝送符号の符号語は、それぞれＧ３、Ｇ４である。
【００６０】
Ｇ３基盤のスリーアンテナシステム及びＧ４基盤のフォーアンテナシステムの原理は、それぞれ下記の通りである。
【００６１】
【数１】
2018504018.tif 000003
【００６２】
受信端と送信端とも３本のアンテナ（即ち、ＮＴ＝３、ＮＲ＝３）を用いる場合、符号語Ｇ３を送信マトリックスとすると、受信端の受信信号は、次のように表される。
【００６３】
【数２】
2018504018.tif 000004
【００６４】
その等価式は下記の通りである。
【００６５】
【数３】
2018504018.tif 000005
【００６６】
同様に、受信端と送信端とも４本のアンテナ（即ち、ＮＴ＝４、ＮＲ＝４）を適用する場合、Ｇ４の等価チャンネルマトリックス表現式は下記の通りである。
【００６７】
【数４】
2018504018.tif 000006
【００６８】
明らかに、いずれのＮＲ≧ＲＧであるＭＩＭＯシステムにおいて、全て類似的にＧ３及びＧ４の等価チャンネルマトリックスを得られ、それからＶ−ＢＬＡＳＴコード（Ｖｅｒｔｉｃａｌ  Ｂｅｌｌ  Ｌａｂｓ  Ｌａｙｅｒｅｄ  Ｓｐａｃｅ−Ｔｉｍｅ）構造のＺＦ又は順序付け逐次干渉除去（Ｏｒｄｅｒｅｄ  Ｓｕｃｃｅｓｓｉｖｅ  Ｉｎｔｅｒｆｅｒｅｎｃｅ  Ｃａｎｃｅｌｌａｔｉｏｎ）アルゴリズムを適用して検出を行う。
【００６９】
なお、個々の送信アンテナと受信アンテナの間の無線チャンネルは相互に独立しており、フラットレイリーフェージングに従う。チャンネルフェージング係数は、平均値が０で、且つ平方偏差が１である独立同一分布の複素ガウスランダム分布に従う。受信端ではチャンネル状態情報（Ｃｈａｎｎｅｌ  Ｓｔａｔｅ  Ｉｎｆｏｒｍａｔｉｏｎ、ＣＳＩ）を完全に把握していると仮定する。
【００７０】
図５は、時空間送信符号の符号語Ｇ３の１６ＱＡＭ変調の下でのビット誤り率性能曲線を示し、それぞれマルチレベルコーディング（Ｍｕｌｔｉ−Ｌｅｖｅｌ  Ｃｏｄｉｎｇ、ＭＬＣ）構造及びＢＩＣＭ構造を用いる。尚、ＢＩＣＭ構造において直交位相偏移変調（Ｑｕａｄｒａｔｕｒｅ  Ｐｈａｓｅ  Ｓｈｉｆｔ  Ｋｅｙｉｎｇ、ＱＰＳＫ）を用いて変調されたＶ−ＢＬＡＳＴシステムとの性能比較を行う。Ｖ−ＢＬＡＳＴシステムが用いるチャンネルエンコーディングシンボルレートは、０．７５である。ＭＬＣ構造であり、且つ送信マトリックスとしてＧ３を用いるＱＯ−ＳＴＢＣシステムに対して、チャンネルエンコーディングは、三つの並行するターボ（ｔｕｒｂｏ）コードを用いて各層データに対する保護を行う。ＭＬＣコーディングのシンボルレート選択の準則により、Ｒ１＝０．８４、Ｒ２＝０．７３７５、Ｒ３＝０．５３であることが得られる。等価シンボルレートは、Ｒｃ＝０．６７５である。ＢＩＣＭ構造のＱＯ−ＳＴＢＣシステムは、シンボルレートが０．６７５であるターボ（ｔｕｒｂｏ）エンコーダを用いる。三つの方法とも５／３×４×０．６７５＝３×２×０．７５＝４．５ｂｉｔ／ｓ／Ｈｚである等しいスペクトル効率を有する。図６から分かるように、ＯＳＩＣ基盤の受信機を用いて、ビット誤り率（Ｂｉｔ  Ｅｒｒｏｒ  Ｒａｔｉｏ、ＢＥＲ）が１×１０−５である場合、ＢＩＣＭ構造と比べ、本発明の実施例が提供するＭＬＣ構造では、ほぼ０．５ｄＢのゲインが得られ、Ｖ−ＢＬＡＳＴシステムと比べ、本発明の実施例が提供する送信方法によれば、ほぼ３．９ｄＢのゲインが得られる。ゼロフォーシング線形検出（Ｚｅｒｏ  Ｆｏｒｃｉｎｇ―Ｌｉｎｅａｒ  Ｄｅｔｅｃｔｉｏｎ、ＺＦ−ＬＤ）受信機を用いて、ＢＥＲが１×１０−５である場合、ＢＩＣＭ構造と比べ、ほぼ０．５ｄＢのゲインが得られ、Ｖ−ＢＬＡＳＴシステムに対して、７．３ｄＢまで達する高いゲインが得られる。
【００７１】
受信端と送信端とも４本のアンテナを用いる場合、ＱＯ−ＳＴＢＣシステムは、符号語送信マトリックスＧ４及び１６直交振幅変調（１６―Ｑｕａｄｒａｔｕｒｅ  Ａｍｐｌｉｔｕｄｅ  Ｍｏｄｕｌａｔｉｏｎ、１６−ＱＡＭ）を用いて変調を行い、ＭＬＣ構造に対しては、チャンネルエンコーディングは、三つの並行するターボ（ｔｕｒｂｏ）エンコーダを用いて各層データに対する保護を行い、Ｒ１＝０．９４、Ｒ２＝０．８１、Ｒ３＝０．５８であり、等価シンボルレートは、Ｒｃ＝０．７５である。ＢＩＣＭ方式のＱＯ−ＳＴＢＣ送信構造は、固定シンボルレートがＲｃ＝０．７５であるターボ（ｔｕｒｂｏ）コードを用いる。ＢＩＣＭ構造のＶ−ＢＬＡＳＴシステムは、ＱＰＳＫ変調及びシンボルレートが０．７５であるターボ（ｔｕｒｂｏ）コードを用いる。三者ともシステムスペクトル効率が８／４×４×０．７５＝４×２×０．７５＝６ｂｉｔ／ｓ／Ｈｚである。図６から分かるように、ＯＳＩＣ基盤の受信機を用いる場合、ＢＥＲが１×１０−５である時、ＢＩＣＭ構造と比べ、本発明の実施例が提供するＭＬＣ構造では、ほぼ１．２ｄＢの性能ゲインが得られ、Ｖ−ＢＬＡＳＴシステムと比べ、ＭＬＣ及びＧ４のシステムを用いると、ほぼ３．２ｄＢのゲインが得られる。ＺＦ−ＬＤ受信機を用いる場合、ＢＥＲが１×１０−５である時、本発明の実施例が提供する符号語Ｇ４基盤のＭＬＣシステムは、ＢＩＣＭ構造のＱＯ−ＳＴＢＣシステムに対して、１．３ｄＢの性能ゲインが得られ、ＢＩＣＭ構造のＶ−ＢＬＡＳＴシステムに対して、７．８ｄＢまで達する高いゲインが得られる。高信号雑音比（Ｓｉｇｎａｌ  ｔｏ  Ｎｏｉｓｅ  Ｒａｔｉｏ、ＳＮＲ）区域では、ＺＦ基盤のリニア受信機のＭＬＣコーディングのＱＯ−ＳＴＢＣシステムの性能は、顕著にＳＩＣ受信機のＢＩＣＭ構造のＱＯ−ＳＴＢＣシステムより優れていることから、本発明の実施例が提供するＭＬＣ基盤のＱＯ−ＳＴＢＣシステムは、受信機の複雑度が低いだけでなく、またＢＩＣＭシステム及びＶ−ＢＬＡＳＴシステムと比べ、全て大きいゲインが得られることを証明している。
【００７２】
方法と同一の発明思想に基づき、本発明の実施例は、空間分層伝送装置を更に提供する。
【００７３】
図７に示すように、前記装置は、
伝送すべきデータを少なくとも二層の空間データに分けるための空間分層モジュール７０１と、
各層空間データのシンボルレートを確定し、各層空間データのミスシンボルレート間の誤差が予め定められた誤差閾値以内にあるようにするためのシンボルレート確定モジュール７０２と、
確定されたシンボルレートに従って各層空間データに対してエンコーディングを行ってから送信するためのデータ送信モジュール７０３と、を含む。
【００７４】
各層空間データのシンボルレートはそれぞれ異なることが好ましい。
【００７５】
前記シンボルレート確定モジュール７０２は、等価エラー率の準則に従って各層空間データのシンボルレートを確定することに用いられることが好ましい。
【００７６】
前記シンボルレート確定モジュール７０２は、予め定められたシンボルレートの制約を満たす条件下で、エミュレーションの方式により各層空間データのシンボルレートを確定することに用いられることが好ましい。
【００７７】
方法と同一の発明思想に基づき、本発明の実施例は、基地局を更に提供する。
【００７８】
図８に示すように、前記基地局は、
メモリ８２０内のプログラムを判読し、伝送すべきデータを少なくとも二層の空間データに分ける過程と、各層空間データのシンボルレートを確定し、各層空間データのミスシンボルレート間の誤差が予め定められた誤差閾値以内にあるようにする過程と、確定されたシンボルレートに従って各層空間データに対してエンコーディングを行ってからトランシーバー８１０を通じて送信する過程と、を実行するためのプロセッサー８００と、
プロセッサー８００の制御の下でデータを受信及び送信するためのトランシーバー８１０と、
を含む。
【００７９】
なお、図８において、バスアーキテクチャは、任意個数の相互に接続されたバス及びブリッジを含むことができる。具体的には、プロセッサー８００に代表される１つ又は複数のプロセッサーと、メモリ８２０に代表されるメモリの各種の回路が連結されている。バスアーキテクチャは、周辺デバイス、電圧レギュレータ及び電力管理回路を始め、各種の他の回路を連結させても良く、これらは全部本分野での周知のものであるため、これに対する更なる説明は省略することにする。
バスインタフェースはインタフェースを提供する。トランシーバー８１０は、複数の要素であっても良く、即ち送信机と受信機とを含み、伝送媒体上で各種の他の装置と通信を行うためのユニットを提供する。プロセッサー８００は、バスアーキテクチャの管理及び通常の処理を担当し、メモリ８２０は、プロセッサー８００が操作を実行する時に使用されるデータを格納できる。
【００８０】
各層空間データのシンボルレートはそれぞれ異なることが好ましい。
【００８１】
プロセッサー８００は、等価エラー率の準則に従って各層空間データのシンボルレートを確定することが好ましい。
【００８２】
予め定められたシンボルレートの制約を満たす条件下で、プロセッサー８００は、エミュレーションの方式により各層空間データのシンボルレートを確定することが好ましい。
【００８３】
方法と同一の発明思想に基づき、本発明の実施例は、空間分層伝送装置を更に提供する。
【００８４】
図９に示すように、前記装置は、
各層空間データをそれぞれ受信することに用いられ、各層空間データのシンボルレートは、送信端の各層空間データのミスシンボルレート間の誤差が予め定められた誤差閾値以内にあることを確保するために設定されたものである、データ受信モジュール９０１と、
各層空間データに対してそれぞれデコーディングを行うためのデコーディングモジュール９０２と、
デコーディング後の各層空間データに従って送信端が伝送するデータを取得するためのデータ取得モジュール９０３と、
を含む。
【００８５】
各層空間データのシンボルレートはそれぞれ異なることが好ましい。
【００８６】
各層空間データのシンボルレートは、等価エラー率の準則に従って確定されることが好ましい。
【００８７】
各層空間データのシンボルレートは、予め定められたシンボルレートの制約を満たす条件下で、エミュレーションの方式により確定されることが好ましい。
【００８８】
方法と同一の発明思想に基づき、本発明の実施例はユーザ機器を更に提供する。
【００８９】
図１０に示すように、前記ユーザ機器は、
メモリ１０２０内のプログラムを判読し、トランシーバー１０１０を通じて各層空間データをそれぞれ受信し、各層空間データのシンボルレートは、送信端の各層空間データのミスシンボルレート間の誤差が予め定められた誤差閾値以内にあることを確保するために設定されたものである過程と、各層空間データに対してそれぞれデコーディングを行う過程と、デコーディング後の各層空間データに従って送信端が伝送するデータを取得する過程と、を実行するためのプロセッサー１０００と、
プロセッサー１０００の制御の下でデータを受信及び送信するためのトランシーバー１０１０と、
含む。
【００９０】
なお、図１０において、バスアーキテクチャは、任意個数の相互に接続されたバス及びブリッジを含むことができる。具体的には、プロセッサー１０００に代表される１つ又は複数のプロセッサーと、メモリ１０２０に代表されるメモリの各種の回路が連結されている。バスアーキテクチャは、周辺デバイス、電圧レギュレータ及び電力管理回路を始め、各種の他の回路を連結させても良く、これらは全部本分野での周知のものであるため、これに対する更なる説明は省略することにする。
バスインタフェースはインタフェースを提供する。トランシーバー１０１０は、複数の要素であっても良く、即ち送信机と受信機とを含み、伝送媒体上で各種の他の装置と通信を行うためのユニットを提供する。異なるユーザ機器に対して、ユーザーインタフェース１０３０は、必要なインタフェースとの外部接続又は内部接続のためのインタフェースであっても良く、接続されるデバイスは、ミニキーボード、ディスプレイ、ラウドスピーカー、マイクロフォン、コントロールレバ等を含むが、これらに限らない。
【００９１】
プロセッサー１０００は、バスアーキテクチャの管理及び通常の処理を担当し、メモリ１０２０は、プロセッサー１０００が操作を実行する時に使用されるデータを格納できる。
【００９２】
各層空間データのシンボルレートはそれぞれ異なることが好ましい。
【００９３】
各層空間データのシンボルレートは、等価エラー率の準則に従って確定されることが好ましい。
【００９４】
各層空間データのシンボルレートは、予め定められたシンボルレートの制約を満たす条件下で、エミュレーションの方式により確定されることが好ましい。
【００９５】
本発明の実施例が方法、システム、又はコンピュータープログラムプロダクトとして提供されうることは、当業者には理解できる。従って、本発明は、完全なハードェアの実施例、完全なソフトウェアの実施例、又はソフトウェとハードウェアを組み合わせた実施例の形態を取り得る。しかも、本発明は、コンピューター利用可能プログラムコードを含む１つ又は複数のコンピューターで利用可能な記録媒体（磁気ディスクメモリ、ＣＤ−ＲＯＭ、光学メモリなどを含むが、これらに限らない）で実施されるコンピュータープログラムプロダクトの形態を取り得る。
【００９６】
本発明において、本発明の実施例による方法、デバイス（システム）及びコンピュータープログラムプロダクトのフローチャート及び／又はブロック図を参照にして記載されている。フローチャート及び／又はブロック図における各フロー及び／又はブロック、及びフローチャート及び／又はブロック図におけるフロー及び／又はブロックの組み合わせは、コンピュータープログラムコマンドにより実現されうると理解されるべきである。これらのコンピュータープログラムコマンドを汎用コンピューター、専門用コンピューター、組込みプロセッサー又は他のプログラマブルデータ処理デバイスのプロセッサーに提供して１つの機器を形成し、コンピューター又は他のプログラマブルデータ処理デバイスのプロセッサーに実行されるコマンドにより、フローチャートの１つ又は複数のフロー及び／又はブロック図の１つ又は複数のブロックで指定される機能を実現するための装置を形成する。
【００９７】
これらのコンピュータープログラムコマンドは、コンピューター又は他のプログラマブルデータ処理デバイスの特定の方式での動作を導けるコンピューター判読可能メモリに格納されてもよく、当該コンピューター判読可能メモリに格納されるコマンドにより、コマンド装置を含むプロダクトを形成する。当該コマンド装置は、フローチャートの１つ又は複数のフロー及び／又はブロック図の１つ又は複数のブロックで指定される機能を実現する。
【００９８】
これらのコンピュータープログラムコマンドは、コンピューター又は他のプログラマブルデータ処理デバイスにローディングされてもよく、コンピューター又は他のプログラマブルデバイスで一連の操作ステップを実行することにより、コンピューターで実現される処理を形成し、コンピューター又は他のプログラマブルデバイスで実行されるコマンドにより、フローチャートの１つ又は複数のフロー及び／又はブロック図の１つ又は複数のブロックで指定される機能を実現するためのステップを提供する。
【００９９】
本発明の好ましい実施例を記載したが、当業者は、いったん創造性を持つ基本的概念を知ると、これらの実施例について他の変更や修正を行うことができる。従って、添付される請求項は、好ましい実施例及び本発明の範囲にカバーされる全ての変更や修正を含むものであると解釈されることを意図とする。
【０１００】
明らかに、当業者は、本発明の精神や範囲を逸脱せずに、本発明に対して様々な変更や変形を行うことができる。このように、本発明のこれらの修正や変形が特許請求の範囲及びその同等の技術範囲に含まれるものであれば、本発明は、これらの変更や変形を含むことを意図とする。
【図１】
2018504018.tif 000007
【図２】
2018504018.tif 000008
【図３】
2018504018.tif 000009
【図４】
2018504018.tif 000010
【図５】
2018504018.tif 000011
【図６】
2018504018.tif 000012
【図７】
2018504018.tif 000013
【図８】
2018504018.tif 000014
【図９】
2018504018.tif 000015
【図１０】
2018504018.tif 000016
【手続補正書】
【提出日】平成29年6月6日(2017.6.6)
【手続補正１】
【補正対象書類名】特許請求の範囲
【補正対象項目名】全文
【補正方法】変更
【補正の内容】
【特許請求の範囲】
【請求項１】
伝送すべきデータを少なくとも二層の空間データに分けることと、
各層空間データのシンボルレートを確定し、各層空間データのミスシンボルレート間の誤差が予め定められた誤差閾値以内にあるようにすることと、
確定されたシンボルレートに従って各層空間データに対してエンコーディングを行ってから送信することと、
を含むことを特徴とする空間分層伝送方法。
【請求項２】
各層空間データのシンボルレートはそれぞれ異なることを特徴とする請求項１に記載の方法。
【請求項３】
各層空間データのシンボルレートを確定することは、
等価エラー率の準則に従って各層空間データのシンボルレートを確定することを含むことを特徴とする請求項１又は２に記載の方法。
【請求項４】
等価エラー率の準則に従って各層空間データのシンボルレートを確定することは、
予め定められたシンボルレートの制約を満たす条件下で、エミュレーションの方式により各層空間データのシンボルレートを確定することを含むことを特徴とする請求項３に記載の方法。
【請求項５】
各層空間データをそれぞれ受信し、各層空間データのシンボルレートは、送信端の各層空間データのミスシンボルレート間の誤差が予め定められた誤差閾値以内にあることを確保するために設定されたものであることと、
各層空間データに対してそれぞれデコーディングを行うことと、
デコーディング後の各層空間データに従って送信端が伝送するデータを取得することと、
を含むことを特徴とする空間分層伝送方法。
【請求項６】
各層空間データのシンボルレートはそれぞれ異なることを特徴とする請求項５に記載の方法。
【請求項７】
各層空間データのシンボルレートは、等価エラー率の準則に従って確定されることを特徴とする請求項５又は６に記載の方法。
【請求項８】
各層空間データのシンボルレートは、予め定められたシンボルレートの制約を満たす条件下で、エミュレーションの方式により確定されることを特徴とする請求項７に記載の方法。
【請求項９】
伝送すべきデータを少なくとも二層の空間データに分けるための空間分層モジュールと、
各層空間データのシンボルレートを確定し、各層空間データのミスシンボルレート間の誤差が予め定められた誤差閾値以内にあるようにするためのシンボルレート確定モジュールと、
確定されたシンボルレートに従って各層空間データに対してエンコーディングを行ってから送信するためのデータ送信モジュールと、
を含むことを特徴とする空間分層伝送装置。
【請求項１０】
各層空間データのシンボルレートはそれぞれ異なることを特徴とする請求項９に記載の装置。
【請求項１１】
前記シンボルレート確定モジュールは、
等価エラー率の準則に従って各層空間データのシンボルレートを確定することに用いられることを特徴とする請求項９又は１０に記載の装置。
【請求項１２】
前記シンボルレート確定モジュールは、
予め定められたシンボルレートの制約を満たす条件下で、エミュレーションの方式により各層空間データのシンボルレートを確定することに用いられることを特徴とする請求項１１に記載の装置。
【請求項１３】
各層空間データをそれぞれ受信することに用いられ、各層空間データのシンボルレートは、送信端の各層空間データのミスシンボルレート間の誤差が予め定められた誤差閾値以内にあることを確保するために設定されたものであるデータ受信モジュールと、
各層空間データに対してそれぞれデコーディングを行うためのデコーディングモジュールと、
デコーディング後の各層空間データに従って送信端が伝送するデータを取得するためのデータ取得モジュールと、
を含むことを特徴とする空間分層伝送装置。
【請求項１４】
各層空間データのシンボルレートはそれぞれ異なることを特徴とする請求項１３に記載の装置。
【請求項１５】
各層空間データのシンボルレートは、等価エラー率の準則に従って確定され、
各層空間データのシンボルレートは、予め定められたシンボルレートの制約を満たす条件下で、エミュレーションの方式により確定されることを特徴とする請求項１３又は１４に記載の装置。
【国際調査報告】
2018504018.tif 000017
2018504018.tif 000018
2018504018.tif 000019
2018504018.tif 000020